(57)【要約】【課題】従来の送信者が音楽データを添付して送信する電子メールは、データ量が大きくなってしまうという問題があった。また、従来の送信者が音楽データを添付して送信する電子メールは、送信者の意図しか反映されず、受信者の音楽的な好みは無視される。さらに、音楽データの送信に関しては、著作権的に問題が発生する場合がある。【解決手段】上記課題を解決するため、本発明に係る情報処理装置は、電子メールデータを受信するメールデータ受信手段と、受信したメールデータを文書データと感性データに分離するメールデータ分離手段と、分離された文書データを表示する文書データ表示手段と、分離された感性データに基づいて受信した端末に蓄積された音楽データ群の中から感性データに適合する音楽データを選択する音楽データ選択手段と、選択された音楽データを再生する音楽データ再生手段とを備える。【選択図】図１
2006072870.tif 000002
【特許請求の範囲】
【請求項１】
電子メールデータを受信するメールデータ受信手段と、受信したメールデータを文書データと感性データに分離するメールデータ分離手段と、分離された文書データを表示する文書データ表示手段と、音楽データを蓄積する音楽データ蓄積手段と、分離された感性データに基づいてメールを受信した端末に蓄積された音楽データ群の中から感性データに適合する音楽データを選択する音楽データ選択手段と、選択された音楽データを再生する音楽データ再生手段と
を備えることを特徴とする情報処理装置。
【請求項２】
前記感性データは、印象の度合いを表す数値データである
ことを特徴とする請求項１記載の情報処理装置。
【請求項３】
前記感性データは、印象を表す単語である
ことを特徴とする請求項１記載の情報処理装置。
【請求項４】
前記音楽データには、あらかじめその音楽の印象を表す音楽印象情報を持たせておく
ことを特徴とする請求項１記載の情報処理装置。
【請求項５】
前記音楽印象情報は、印象の度合いを表す数値データである
ことを特徴とする請求項４記載の情報処理装置。
【請求項６】
前記音楽データ選択手段は、感性データの数値と音楽印象情報の数値を比較して、数値が最も近い音楽データが選択される
ことを特徴とする請求項２または４記載の情報処理装置。
【請求項７】
前記音楽データ選択手段は、感性データの単語に対して音楽印象情報における数値の範囲をあらかじめ決めておくことで、感性データの単語が指定されたとき、その単語に当てはまる音楽印象情報の数値を持つ音楽データが選択される
ことを特徴とする請求項３または４記載の情報処理装置。
【請求項８】
前記請求項１において、メールデータを文書データと画像データと感性データに分離するメールデータ分離手段と、分離された画像データを表示する画像表示手段を持つ
ことを特徴とする請求項１記載の情報処理装置。
【請求項９】
前記、音楽データ選択手段は、感性データ、および、音楽データにあらかじめ与えられた優先順位によって音楽データを選択する音楽データ選択手段を持つ
ことを特徴とする請求項１記載の情報処理装置。
【請求項１０】
電子メールデータを受信するメールデータ受信手段と、受信したメールデータを文書データと感性データに分離するメールデータ分離手段と、分離された文書データを表示する文書データ表示手段と、画像データを蓄積する画像データ蓄積手段と、分離された感性データに基づいてメールを受信した端末に蓄積された画像データ群の中から感性データに適合する画像データを選択する画像データ選択手段と、選択された画像データを表示する画像データ表示手段と
を備えることを特徴とする情報処理装置。
【請求項１１】
前記画像データには、あらかじめその画像の印象を表す画像印象情報を持たせておく
ことを特徴とする請求項１０記載の情報処理装置。
【発明の詳細な説明】
【技術分野】
【０００１】
本発明は、電子メールに情報を添付して送受信する情報処理装置および方法、情報処理システム、プログラムに関するものである。
【背景技術】
【０００２】
近年、電子メールをコミュニケーション手段の一つとして使用することが多く、この電子メールを送受信する端末にはパーソナルコンピュータ、ワークステーション、携帯電話などが使用されている。
【０００３】
電子メールにおいては、文書データだけでなく、音楽データなどを添付して電子メールを送信することで、受信者に対して文書データを表示すると同時に、音楽を再生することで趣向性を高める手法が提案されている（特許文献１参照）。
【特許文献１】特開平１１−２０３２１７号公報
【発明の開示】
【発明が解決しようとする課題】
【０００４】
しかし、従来の送信者が音楽データを添付して送信する電子メールは、データ量が大きくなってしまうという問題があった。
【０００５】
また、受信者が同じ音楽データを持っているにもかかわらず、同じ音楽データが何度も送られてしまうという問題点もあった。
【０００６】
特に、携帯電話では、送信できるデータ容量に制限があり、送信可能であってもデータ量が大きくなれば、その分パケット料金が高くなってしまう。
【０００７】
さらに、従来の送信者が音楽データを添付して送信する電子メールは、送信者の意図しか反映されず、受信者の音楽的な好みは無視される。
【０００８】
また、音楽データの送信に関しては、著作権的に問題が発生する場合がある。
【０００９】
そこで、本発明は上記のような課題に鑑みてなされたものであり、電子メールにおいて、文書データに加えて、データ量の小さい感性データを送信することによって、受信者側の端末に蓄積された音楽データから送信者の意図する感性データに適した音楽データを選択し、メールの文書データの表示とともに再生を行うことで、音楽データをメールに添付して送信することなくメールの趣向性を向上させることが可能となる。
【００１０】
本手法では、音楽データを添付して送信することがないため、送信データ容量や音楽データの著作権を気にする必要がなく、送信者の意図と受信者の好みの両方を満たした音楽データをメールの文書データの表示とともに再生することが可能となる。
【課題を解決するための手段】
【００１１】
上記目的を達成するため、本発明に係る情報処理装置は、電子メールデータを受信するメールデータ受信手段と、受信したメールデータを文書データと感性データに分離するメールデータ分離手段と、分離された文書データを表示する文書データ表示手段と、音楽データを蓄積する音楽データ蓄積手段と、分離された感性データに基づいてメールを受信した端末に蓄積された音楽データ群の中から感性データに適合する音楽データを選択する音楽データ選択手段と、選択された音楽データを再生する音楽データ再生手段とを備えることを特徴とする。
【発明の効果】
【００１２】
以上の説明から明らかなように、本発明に係る情報処理装置によれば、感性データ付きの電子メールデータを送受信することによって、受信者がメールを読む際に、文書データが表示されるだけでなく、感性データに適した音楽データが再生される。このことによって、音楽データの添付されたデータサイズの大きいメールを送受信する必要なく、メールの趣向性を向上させることが可能となる。
【００１３】
また、送信者は音楽データを添付して送信する必要がないため、送信データ容量や音楽データの著作権を気にする必要がなく、送信者の意図と受信者の好みの両方を満たした音楽データを再生することが可能となる。
【発明を実施するための最良の形態】
【００１４】
以下、図面を用いて本発明に係る情報処理装置の詳細な説明を行う。尚、本発明に係る情報処理装置の例としては、電子メール送受信機能を備えるパーソナルコンピュータ、ワークステーション、携帯電話などであり、文書データを表示し、音楽データを再生することが可能な情報処理装置である。
【００１５】
図１は、本発明の実施の形態に係る情報処理装置の構成の一部を示すブロック図である。
【００１６】
図２は、本発明の実施の形態に係る情報処理装置による、感性データ付き電子メールから、文書データを表示し、音楽データを再生する処理手順を示すフローチャートである。
【００１７】
図３は、受信端末に蓄積されている音楽データの音楽印象情報データを示す図、図４は、電子メールに添付される感性データによる音楽データ選択方法を示す図である。
【００１８】
以下、図１のブロック図に従って、本手法における情報処理装置の構成について説明する。
【００１９】
メールデータ受信部１０１は、文書データおよび感性データを含む電子メールデータを受信する。
【００２０】
メールデータ分離部１０２は、メールデータ受信部１０１で受信された電子メールデータを文書データと感性データに分離する。
【００２１】
文書データ表示部１０３は、メールデータ分離部１０２で分離された文書データを画面上に表示する。
【００２２】
音楽データ蓄積部１０４は、音楽印象情報が与えられた複数の音楽データを蓄積している。
【００２３】
音楽データ選択部１０５は、メールデータ分離部１０２で分離された感性データをもとに、音楽データ蓄積部１０４に蓄積された複数の音楽データの中から、感性データに最も適した音楽データを選択する。
【００２４】
音楽データ再生部１０６は、音楽データ選択部１０５で選択された音楽データを再生する。
【００２５】
画像データ表示部１０７は、画像データがある場合に画像データを表示する。
【００２６】
以下、図２のフローチャート図に従って、本手法を用いた情報処理装置の具体的な処理手順について説明する。
【００２７】
本実施の形態において、本発明の電子メールプログラムを搭載したコンピュータは、メールサーバとイーサネット（登録商標）によって接続されていて、ユーザーは本発明の電子メールプログラムを用いて、メールサーバから電子メールデータを受信する（Ｓ２０１）。メールサーバの例としてはＰＯＰ３、ＩＭＡＰ４などがある。また、携帯電話においては携帯電話会社ごとに独自のサーバを用いている。
【００２８】
ここで受信する電子メールデータには、少なくとも、電子メールの本文である文書データと、音楽データ選択のための感性情報を示す感性データの２つのデータが含まれる。また、上記２つのデータ以外にも画像データなどの他のデータが含まれていてもよい。電子メールデータは一般的に、ヘッダ、本文である文書データ、添付ファイルデータで構成されている。本実施の形態においては、感性データは添付ファイルとして電子メールデータに添付しておく。文書データは、テキストデータまたはＨＴＭＬデータである。感性データに関しては以下で説明する。
【００２９】
Ｓ２０１で受信した電子メールデータをメールの本文である文書データと感性データに分離する（Ｓ２０２）。具体的な手段としては、まずメールのヘッダ情報を見て、添付ファイルが添付されているなら、ヘッダに書かれている記述に従って本文となる文書データと感性データを分離する。電子メールデータに画像データなどの上記２つのデータ以外のデータが含まれている場合には、それについても分離する。
【００３０】
Ｓ２０２で分離された感性データの情報に従って、電子メールを受信した端末に蓄積されている音楽データから、感性データに最も適した音楽データを選択する（Ｓ２０３）。音楽データのフォーマットの例としてはＷＡＶ、ＭＰ３、ＰＣＭ、ＭＩＤＩなどがある。
【００３１】
ここで、蓄積された音楽データは、あらかじめその音楽データを解析することで得られた音楽印象情報を持っている。音楽データを自動的に解析して感性情報（本手法における音楽印象情報）を与える手法として、特開２００３−１５６６６号公報に記載の発明などが提案されている。
【００３２】
また、ユーザーが自信で音楽データに対する音楽印象情報を設定する手法も考えられる。本実施の形態における音楽印象情報は、図３で示すように音楽データについての「激しさ」、「躍動感」、「爽やかさ」、「素朴さ」、「ハードさ」の印象について０．０〜１．０の数値で表したものを用いる。数値が１．０に近いほどその性質が強く、０．０に近いほどその性質が弱いものとする。これら複数の音楽データに対する音楽印象情報は音楽印象情報ファイルとして保持しておく。また、音楽印象情報は各音楽データのヘッダに保持する形態も考えられる。
【００３３】
電子メールで送られてくる本実施の形態における感性データは、受信者側の音楽データがもつ音楽印象情報と同じデータ形式のものを用いる。送られてきた感性データと蓄積された音楽データの音楽印象情報を比較することで、感性データに最も近い音楽データを選択することができる。いま、感性データの「激しさ」、「躍動感」、「爽やかさ」、「素朴さ」、「ハードさ」のそれぞれの値がＶ、Ｌ、Ｆ、Ｓ、Ｈとし、音楽印象情報の「激しさ」、「躍動感」、「爽やかさ」、「素朴さ」、「ハードさ」の値がｖ、ｌ、ｆ、ｓ、ｈとすると、Ｆ  ＝  （（Ｖ  −  ｖ）＾２  ＋  （Ｌ  −  ｌ）＾２  ＋  （Ｆ  −  ｆ）＾２  ＋  （Ｓ  −  ｓ）＾２  ＋  （Ｈ  −  ｈ）＾２）  ＾  （１／２）の値が小さいほど、感性データと音楽印象情報が近いと判定することができる。本実施の形態では、図４で示すように、Ｆの値が最も小さい音楽データｍｕｓｉｃ＿０４が選ばれる。
【００３４】
また、送られてくる感性データとしては、「穏やか」、「素朴な」等の単語で表す形式も考えられる。この場合、例えば、感性データで「穏やか」という指定がされていれば、蓄積された音楽データの音楽印象情報における「激しさ」の数値が０．５０未満のものを選択するといったふうに、感性データの単語に対して音楽印象情報の数値の範囲をあらかじめ決めておくことで実現可能である。例えば、図４で示すように、感性データがｑｕｉｅｔ（穏やか、ｆｒｅｓｈ（爽やかな）という２つのデータである場合、ｑｕｉｅｔについては「激しさ」が０．５０未満、ｆｒｅｓｈについては「爽やかさ」が０．５０以上の音楽印象情報を持つ音楽データであるｍｕｓｉｃ＿０３が選ばれる。
【００３５】
次に、電子メールプログラムはＳ２０２で分離された文書データを表示し、Ｓ２０３で選択された音楽データの再生を行う（Ｓ２０４）。画像データが添付されている場合は、画像データの表示も行う。ここで、各データの表示・再生を行うタイミングは同時であっても、各データによって異なってもよい。また、画像データの表示は本文の背景とて表示しても、本文とは別に表示してもよい。音楽データの再生、画像データの表示は、電子メールプログラムに含まれていても、別の音楽再生、画像表示のプログラムを用いてもよい。
【００３６】
本実施の形態においては、感性データで選択されるのは音楽データのみであったが、画像データに関しても音楽データと同様に、メールで送られてきた感性データに基づいて、受信者側の端末に蓄積された画像データを選択し、表示する形態も考えられる。
【００３７】
蓄積された音楽データの音楽印象情報の中には、音楽を解析して得られた音楽印象情報だけでなく、メール受信者の再生してほしい音楽の優先順位を表すユーザー優先度を付け加えることで、メール受信者の嗜好をより反映した音楽データの再生を行うことも可能である。
【産業上の利用可能性】
【００３８】
以上のように、本発明に係る情報処理装置は、感性データ付きの電子メールデータを送受信することによって、受信者がメールを読む際に、文書データが表示されるだけでなく、感性データに適した音楽データが再生される。このことによって、音楽データの添付されたデータサイズの大きいメールを送受信する必要なく、メールの趣向性を向上させることが可能となる。
【００３９】
また、送信者は音楽データを添付して送信する必要がないため、送信データ容量や音楽データの著作権を気にする必要がなく、送信者の意図と受信者の好みの両方を満たした音楽データを再生することが可能となる。
【００４０】
本発明は、電子メール送受信機能を備えるパーソナルコンピュータ、ワークステーション、携帯電話といった、文書データを表示し、音楽データを再生することが可能な情報処理装置において有用である。
【図面の簡単な説明】
【００４１】
【図１】本発明の実施の形態に係る３次元画像表示装置の構成の一部を示すブロック図
【図２】本発明の実施の形態に係る３次元画像表示装置による３次元オブジェクト、及び、その輪郭線を表示する処理手順を示すフローチャート
【図３】受信端末に蓄積されている音楽データの音楽印象情報データを示す図
【図４】電子メールに添付される感性データによる音楽データ選択方法を示す図
【符号の説明】
【００４２】
１０１    メールデータ受信部
１０２    メールデータ分離部
１０３    文書データ表示部
１０４    音楽データ蓄積部
１０５    音楽データ選択部
１０６    音楽データ再生部
１０７    画像データ表示部
【図１】
2006072870.tif 000003
【図２】
2006072870.tif 000004
【図３】
2006072870.tif 000005
【図４】
2006072870.tif 000006